(57)【要約】  本発明は、カートンおよび可撓性バッグを備えて流動性製品を封入するパッケージに関する。このバッグは、流動性製品を吐出する吐出用出口を有し、このカートンは、一方の側の壁に対して、カートン内でバッグを位置付けるための第１のキャビティを規定する内壁を有し、この内壁は、吐出用出口の本体がその内部に位置付けられる開口を有し、これにより、吐出用出口の外端部が、反対側の内壁と、カートンの隣接する外壁との間に規定される第２のキャビティ内に位置し、このカートンは、第２のキャビティ内に通じて吐出用出口を露出させてそれへのアクセスを提供する取り外し可能な領域を含む。【選択図】  図１
2019517445.tif 000002
【特許請求の範囲】
【請求項１】
カートンおよび可撓性バッグを備えて流動性製品を封入するパッケージであって、
前記バッグは、前記流動性製品を吐出する吐出用出口を有し、
前記カートンは、一方の側の壁に対して、前記カートン内で前記バッグを位置付けるための第１のキャビティを規定する内壁を有し、
前記内壁は、前記吐出用出口の本体がその内部に位置付けられる開口を有し、
これにより、前記吐出用出口の外端部が、前記カートンの反対側の前記内壁と、隣接する外壁との間に規定される第２のキャビティ内に位置し、
前記カートンは、前記第２のキャビティ内に通じて前記吐出用出口を露出させてそれへのアクセスを提供する取り外し可能な領域を含む、
ことを特徴とするパッケージ。
【請求項２】
前記取り外し可能な領域は、少なくとも部分的に、前記隣接する外壁内にある、
ことを特徴とする請求項１に記載のパッケージ。
【請求項３】
前記取り外し可能な領域は、完全に前記隣接する外壁内にある、
ことを特徴とする請求項１に記載のパッケージ。
【請求項４】
前記取り外し可能な領域は、部分的に前記隣接する外壁内にあり、部分的に、前記隣接する外壁に横行するさらなる外壁内にある、
ことを特徴とする請求項１または２に記載のパッケージ。
【請求項５】
前記カートンの前記外壁の１つは、前記第１のキャビティ内に通じて前記バッグを露出させてそれへのアクセスを提供する、さらなる取り外し可能な領域を有する、
ことを特徴とする請求項１から４のいずれか１項に記載のパッケージ。
【請求項６】
前記取り外し可能な領域は、取り外しを補助するミシン目を有する、
ことを特徴とする請求項１から５のいずれか１項に記載のパッケージ。
【請求項７】
前記外壁の１つは、前記さらなる取り外し可能な領域の対向する側部から延長するミシン目を有して、前記バッグの取り外しを補助する、
ことを特徴とする請求項５または６に記載のパッケージ。
【請求項８】
前記内壁は、前記内壁の前記開口で前記吐出用出口の前記本体を保持する固定手段を有する、
ことを特徴とする請求項１から７のいずれか１項に記載のパッケージ。
【請求項９】
前記吐出用開口は吐出口である、
ことを特徴とする請求項１から８のいずれか１項に記載のパッケージ。
【請求項１０】
前記吐出用出口は、取り外し可能なキャップにより閉止可能である、
ことを特徴とする請求項１から９のいずれか１項に記載のパッケージ。
【請求項１１】
前記吐出用出口は、取り外し可能なバルブにより閉止可能である、
ことを特徴とする請求項１から９のいずれか１項に記載のパッケージ。
【請求項１２】
前記バルブは、前記可撓性バッグの前記吐出用出口上に取り付けられるよう配置される開放端部を有する管状部材を有し、前記バッグの前記内容物を前記管状部材へ流入させ、
前記管状部材の内部は、可撓性のダイヤフラムおよび吐出開口を含む横行壁を有し、
前記吐出開口は、通常、前記可撓性のダイヤフラム、および前記壁の外側上に側方に延長して前記可撓性のダイヤフラムに接続するレバーにより閉止されて、前記ダイヤフラムを、前記可撓性のダイヤフラムが前記吐出開口を密閉状態で閉止して前記内容物が前記バッグから出るのを阻止する位置と、前記可撓性のダイヤフラムが前記吐出開口から取り除かれて前記バッグの前記内容物がこれにより出ることを許容する位置との間で変位させ、
前記開放端部は、ネジ式接続により前記吐出用出口に取り付け可能に配置される、
ことを特徴とする請求項１１に記載のパッケージ。
【請求項１３】
前記開放端部は、前記吐出用出口に直接取り付けられる、
ことを特徴とする請求項１２に記載のパッケージ。
【請求項１４】
前記開放端部は、前記吐出用出口に、前記管状部材に結合されるネジ式管状接続片を解して取り付けられる、
ことを特徴とする請求項１２に記載のパッケージ。
【請求項１５】
請求項１から１４のいずれか１項に記載のパッケージから流動性製品を吐出する装置であって、
冷却または加熱手段を備え、
前記冷却または加熱手段は、前記パッケージ内の前記バッグの前記内容物を冷却または加熱するよう配置される、
ことを特徴とする装置。
【請求項１６】
前記装置は、前記パッケージを受容する構造を有し、
前記冷却または加熱手段は、前記構造に受容された際に、前記パッケージの前記第１のキャビティ内に突出するよう配置される隆起した冷却または加熱部分を備え、これにより、前記隆起した冷却または加熱部分は、前記パッケージ内のアクセス開口を介して、前記バッグと接触可能となる、
ことを特徴とする請求項１５に記載の装置。
【請求項１７】
クレーム５に従属する場合、前記アクセス開口は、前記さらなる取り外し可能な領域を取り外すことにより提供される、
ことを特徴とする請求項１６に記載の装置。
【請求項１８】
請求項１から１４のいずれか１項に記載のパッケージから流動性製品を吐出する装置であって、
前記装置は、前記パッケージの前記吐出用出口を介して前記パッケージに接続可能であり、引き出される前記流動性製品を、前記装置の前記吐出用出口へ供給するポンプ手段を有する、
ことを特徴とする装置。
【請求項１９】
前記引き出される流動性製品を冷却または加熱する冷却または加熱手段をさらに備える、
ことを特徴とする請求項１８に記載の装置。
【請求項２０】
前記装置は、前記ポンプ手段および少なくとも１つのパッケージを収容するよう構成される筐体をさらに備える、
ことを特徴とする請求項１８または１９に記載の装置。
【請求項２１】
前記筐体は、開放可能で、前記パッケージの取り外しおよび挿入を許容するドアを有する、
ことを特徴とする請求項２０に記載の装置。
【請求項２２】
前記少なくとも１つのパッケージは、前記筐体の下方部分に収容され、前記装置の前記吐出用出口は、前記装置の上方部分にある、
ことを特徴とする請求項２０または２１に記載の装置。
【請求項２３】
前記装置は、フロア取り付け可能である、
ことを特徴とする請求項２２に記載の装置。
【請求項２４】
請求項１５から２３のいずれか１項に記載の装置、および請求項１から１４のいずれか１項に記載のパッケージを有する、流動性製品を吐出するシステム。
【請求項２５】
可撓性バッグに封入される流動性製品を吐出するバルブであって、
前記可撓性バッグの吐出用出口上に取り付けられるよう配置される管状部材を有し、前記バッグの内容物を前記管部材内へ流入させ、
前記管状部材の内部は、可撓性のダイヤフラムおよび吐出開口を有する横行壁を有し、
前記吐出開口は、通常、前記可撓性のダイヤフラムと、および前記壁の外側上に側方に延長し、前記可撓性のダイヤフラムに接続されるレバーとにより閉止されて、前記ダイヤフラムを、前記可撓性のダイヤフラムが前記吐出開口を密閉状態で閉止して前記内容物が前記バッグから出るのを阻止する位置と、前記可撓性のダイヤフラムが前記吐出開口から取り除かれて前記バッグの内容物がこれにより出ることを許容する位置との間で変位させ、
前記開放端部はネジ式接続により前記吐出用出口に取り付け可能に配置される、
ことを特徴とするバルブ。
【請求項２６】
前記開放端部は、前記吐出用出口に直接取り付けられる、
ことを特徴とする請求項２５に記載のバルブ。
【請求項２７】
前記開放端部は、前記吐出用出口に、前記管状部材に結合されるネジ式管状接続片を介して取り付けられる、
ことを特徴とする請求項２５に記載のバルブ。
【発明の詳細な説明】
【技術分野】
【０００１】
本発明は、パッケージに関し、特に、カートン(carton)、および吐出口(spout)を備える可撓性バッグ(flexible bag)を有するパッケージに関する。
【背景技術】
【０００２】
１９リットルまでの容量を有する大型樹脂製ウォーターボトルは、飲料水を職場等へ供給するため使用される。これらの樹脂製ボトルは、効率的に積み重ねることができず、大型の特別注文のラック(racks)で輸送されなければならない。いったん使用されると、ボトルは、洗浄のためリサイクリング工場へ送り返され、空であっても満杯であってもほぼ同一の輸送費を必要とする。
これらのボトルのための洗浄プロセスは、約５リットルの過熱水および化学薬品を必要として追加的コストを付加し、さらなる水の使用も必要とし、環境問題を引き起こす。ボトルは高価であり、破損したまたは置き違えられた(mis-placed)ボトルは、顧客のコストで交換されなければならない。さらに、典型的な場合ならそうであろうように、冷却およびウォーターサーバ(water dispensing)システムとともに使用される場合に、空のボトルを満杯に交換する際、ボトルは重く、扱い難い(awkward)。
【０００３】
非公式にバッグ・イン・ボックス(bag-in-box)として知られる、吐出口を備える可撓性折り畳み式(collapsible)バッグを収容するダンボールカートン(cardboard cartons)は、飲料水を貯蔵および吐出(dispense)するのにも使用されることができ、貯蔵のため必要とされる領域（面積）は、典型的には、上述の大型樹脂製ボトルの領域より顕著に小さいであろう。カートン中のフラップ（蓋）(flap)として知られるミシン目（目打ち線）領域(perforated area)は、取り外されて、吐出口にアクセスすることができる。しかしながら、ユーザは、いったん吐出口フラップが取り外されると、吐出口を位置付ける（見つける）ことが困難になるかもしれない。
【発明の開示】
【発明が解決しようとする課題】
【０００４】
本発明の実施形態は、例えば水等の流動性製品(flowable product)を吐出する従来のシステムの１つ以上の欠点を、解決、または少なくとも改良することを目的とするものである。
【課題を解決するための手段】
【０００５】
本発明の第１の態様によれば、カートン(carton)および可撓性（柔軟性）バッグ(flexible bag)を備え、流動性製品を封入(contain)するパッケージが提供される。このバッグは、流動性製品を吐出する吐出用出口(dispensing outlet)を有し、このカートンは、一方の側の壁に対して、カートン内でバッグを位置付ける(locating)ための第１のキャビティ(cavity)を規定する内壁を有する。
この内壁は、吐出用出口の本体(body)がその内部に位置付けられる(located)開口を有し、これにより、吐出用出口の外端部が、カートンの内壁の反対側と、隣接する(adjacent)外壁との間に規定される第２のキャビティ内に位置する。このカートンは、第２のキャビティ内に通じて(leading into)、吐出用出口を露出させてそれへのアクセスを提供する取り外し可能な領域(removable area)を含む。
【０００６】
好適な実施形態によれば、取り外し可能な領域は、少なくとも部分的に、隣接する外壁内にある。好適には、取り外し可能な領域は、完全に、隣接する外壁内にある。好適には、取り外し可能な領域は、部分的に、隣接する外壁内にあり、部分的に、第１の上記隣接する壁に横行する(transverse to)さらなる（追加的）外壁内にある。
【０００７】
好適な実施形態によれば、カートンの外壁の１つは、第１のキャビティ内に通じるさらなる取り外し可能な領域を有し、バッグを露出させてそれへのアクセスを提供する。
【０００８】
好適な実施形態によれば、取り外し可能な領域は、少なくとも１つの指用開口(finger opening)を備える。好適には、さらなる（追加的）取り外し可能な領域は、指用開口を備える。好適には、取り外し可能な領域および／またはさらなる取り外し領域は、取り外しプロセスを補助するミシン目（目打ち線）(perforations)を有する。好適には、外壁の１つは、さらなる取り外し可能な領域の対向する側(opposing sides)から延長するミシン目（目打ち線）を有して、バッグを取り外すことを補助する(assist in)。
【０００９】
好適な実施形態によれば、カートンは、内壁の開口で、吐出用出口の本体を保持するための固定手段を有する。
【００１０】
好適には、吐出用出口(dispensing outlet)は、吐出口(spout)である。より好適には、吐出用出口は、取り外し可能なキャップを有する。
【００１１】
ある実施形態において、吐出用出口は、取り外し可能なバルブによって閉止可能である。バルブは、タップ(tap)であってよい。
【００１２】
ある実施形態によれば、取り外し可能なバルブは、可撓性バッグの吐出用出口上に取り付けられるよう配置される開放端部(open end portion)を有する管状部材を有して、バッグの内容物を管状部材へ流入させる。管状部材の内部は、可撓性（柔軟性）ダイヤフラム(diaphragm)および吐出開口を含む横行壁(transverse wall)を有し、この吐出開口は、通常、可撓性ダイヤフラム、および壁の外側上に側方に延長し、可撓性ダイヤフラムに接続されるレバーにより閉止されて、ダイヤフラムを、可撓性ダイヤフラムが吐出開口を密閉状態で閉止して、内容物がバックから出ることを阻止する位置と、可撓性ダイヤフラムが吐出開口から取り外されて、バッグの内容物がこれにより出ることを許容する位置との間で変位させる。ここで、開放端部は、ネジ式接続(threaded connection)により吐出用出口に取り付け可能に配置される。
【００１３】
ある実施形態によれば、開放端部は、吐出用出口に直接取り付けられる。
【００１４】
ある実施形態によれば、開放端部は、管状部材に結合されるネジ式管状接続片を介して、吐出用出口に取り付けられる。
【００１５】
吐出用出口は、バルブを有してよい。好適な実施形態において、吐出用出口は、一体化されたバルブを有する取り外し可能なキャップを有する。一例として、バルブは、タップ(tap)であってよい。
【００１６】
本発明の第２の態様によれば、上記のパッケージから流動性製品を吐出しおよび冷却するための装置が提供される。この装置は、冷却または加熱手段を有し、この冷却または加熱手段は、パッケージ内のバッグの上記内容物を冷却または加熱するよう配置される。
【００１７】
好適には、この装置は、パッケージを受容する構造を有する。ここで、冷却手段は、この構造により受容された際に、パッケージの第１のキャビティ内に突出するよう配置される隆起した(raised)冷却または加熱部分を備え、これにより、隆起した冷却部分は、パッケージ内のアクセス開口を介して、バッグと接触可能となる。
【００１８】
好適には、アクセス開口は、さらなる（追加的）取り外し可能な領域を取り外すことにより提供される。
【００１９】
本発明の第３の態様によれば、上記のパッケージから流動性製品を吐出する装置が提供される。この装置は、吐出用出口を介してパッケージに接続可能であり、パッケージから引き出される（取り出される）(drawn)流動性製品を、装置の吐出用出口へ供給する（搬送する）ポンプ手段を有する。
【００２０】
好適な実施形態によれば、この装置は、引き出された流動性製品を冷却する冷却手段を有してよい。この装置は、引き出された流動性製品を加熱する加熱手段を有してよい。
【００２１】
好適には、この装置は、ポンプ手段および少なくとも１つのパッケージを収容する(house)よう構成された筐体(enclosure)を有する。筐体は、ドアを有してよく、このドアは、開放可能で、パッケージの取り外しおよび挿入を許容する。
【００２２】
好適には、少なくとも１つのパッケージは、筐体の下方部分に収容され、装置の吐出用出口は、装置の上方部分にある。この装置は、フロア取り付け可能(floor-mountable)であってよい。この装置は、自立型(free-standing)であってよい。
【００２３】
本発明の第４の態様によれば、上記の装置および上記のパッケージを有する、流動性製品を冷却するためのシステムが提供される。
【００２４】
本発明の第５の態様によれば、可撓性（柔軟性）バッグに封入流動性製品を吐出するバルブが提供される。このバルブは、可撓性バッグの吐出用出口上に取り付けられるよう配置される開放端部を有する管状部材を有し、バッグの内容物を管状部材内に流入させる。管状部材の内部は、可撓性（柔軟性）ダイヤフラム、および吐出開口を含む横行壁を有し、この吐出開口は、通常、可撓性ダイヤフラムおよびレバーにより閉止される。このレバーは、壁の外側上に側方に延長し、可撓性ダイヤフラムに接続されて、ダイヤフラムを、可撓性ダイヤフラムが吐出開口を密封状態で閉止して内容物がバッグから出ることを阻止する位置と、可撓性ダイヤフラムが吐出開口から取り除かれてバッグの内容物がこれにより出ることを許容する位置との間で変位させる。開放端部は、ネジ式接続により吐出用出口に取り付け可能に配置される。
【００２５】
ある実施形態によれば、開放端部は、吐出用出口に直接取り付けられる。
【００２６】
ある実施形態によれば、開放端部は、管状部材に結合されるネジ式管状接続片を介して、吐出用出口に取り付けられる。
【００２７】
以下、本発明を、非限定的な例示的実施形態としてのみ、添付図面を参照して、詳細に説明する。
【図面の簡単な説明】
【００２８】
【図１】図１は、本発明の、好適な実施形態に係るパッケージの斜視図である。
【００２９】
【図２】図２は、図１のパッケージの部分的に開放するカートンの斜視図である。
【００３０】
【図３】図３は、図２のカートン中の吐出口のカートン内からの斜視図である。
【００３１】
【図４】図４は、図３の吐出口の開放端のカートン外からの斜視図である。
【００３２】
【図５】図５は、図１のパッケージから流動性製品を吐出するユーザの斜視図である。
【００３３】
【図６】図６は、本発明の実施形態に係る、図１のパッケージから流動性製品を吐出する装置の斜視図である。
【００３４】
【図７】図７は、図６の装置上の図１のパッケージの斜視図である。
【００３５】
【図８】図８は、本発明の他の実施形態に係る、図５のパッケージから流動性製品を吐出する装置の斜視図である。
【００３６】
【図９】図９は、図１から図４のカートンを形成するのに使用可能な例示的ブランクを示す図である。
【００３７】
【図１０】図１０は、一体化された支持部と取り外し可能なキャップを有する吐出口の、一体化されたタップが図１のパッケージとともに使用された状態の実施形態を示す図である。
【００３８】
【図１１】図１１ａから図１１ｃは、代替的な取り外し可能バルブが図１のパッケージと共に使用された第１の実施形態の、それぞれ斜視図、分解図、および断面図である。
【００３９】
【図１２】図１２ａから図１２ｃは、代替的な取り外し可能バルブが図１のパッケージと共に使用された第２の実施形態の、それぞれ斜視図、分解図、および断面図である。
【発明を実施するための形態】
【００４０】
図１から図５を参照して、カートン４が示され、カートン４は、液体８を封入する(contain)可撓性（柔軟性）バッグを受容するよう構成される。このバッグは、吐出口(spout)としても参照され得る、液体８を吐出する吐出用出口(dispensing outlet)１０を有し、これにより、カートン４およびバッグは、本発明の好適な実施形態に係る、液体を封入および吐出するパッケージ２を規定する。
【００４１】
このバッグは、貯蔵および吐出を必要とする流動性製品とともに使用されるのに好適な、実質的に不透水性(impermeable)材料で形成される従来の可撓性バッグであってよい。流動性製品は、重力下で容易に流れる種類の乾燥状態(dry)または液体の流動性製品を含んでよい。液体の流動性製品の例は、例えば化粧品、インク、塗料、溶剤(solvents)、接着剤等の化学製品または科学的(chemically based)製品、およびオイル、飲料、および醤油、フィッシュソース、酢等の調味料などの液体消費物品を含む。乾燥状態の流動性製品の例は、例えば洗剤、塩、砂糖、または穀物等の粉末状または粒状材料を含んでよい。
一例として、本実施形態は、液体を封入および吐出するものとして記載されるが、当業者であれば、本実施形態が、あらゆる好適な流動性製品と共に使用可能であることを理解するであろう。このバッグは、あらゆる所望の容量を収容するサイズにされ得るが、これらの実施形態では、バッグは、１０から１５リットルの容量を有することができる。従って、カートン４は、このバッグを収容するサイズにされる。
【００４２】
カートン４は、内壁１２を有し、内壁１２は、その片側の壁に、カートン４内でバッグを位置付ける(locating)ための第１のキャビティ１３を規定する。内壁１２は、吐出口１０の本体１６が位置付けられる開口１４を有し、これにより、吐出口１０の外端１８は、カートン４の反対側の内壁１２と、隣接する(adjacent)外壁２２との間に規定される第２のキャビティ２０内に位置する(lies within)。
カートン４は、第２のキャビティ２０内に通じる(leading into)取り外し可能な領域２４を有して、吐出口の外端１８を露出させてそれへのアクセスを提供する。これにより、ユーザは、一旦取り外し可能な領域２４が取り外されると、第２のキャビティ２０内に吐出口の外端１８を容易に位置付けることができるという利点が提供される。
さらに、ユーザが、取り外し可能な領域２４を取外すのに鋭利な物体を使用する場合、吐出口の外端１８が内壁１２によりバックから分離されているので、バッグが鋭利な物体により突き刺されるおそれが遥かに低くなる。
【００４３】
ここに開示される実施形態において、取り外し可能な領域２４は、部分的に、隣接する外壁２２内にある。取外し可能な領域２４はまた、隣接する外壁２２に横行する(transverse to)さらなる（追加的）外壁２６内にあってもよい。これにより、吐出口の外端１８への容易なアクセスが提供される。一例として、取り外し可能な領域２４は、完全に、隣接する外壁２２内にあってよい。
【００４４】
図３および図４を参照して、内壁１２の開口１４は、吐出口本体１６の部分が嵌合で(fittingly)受容され得る凹部２８を有する。内壁１２は、吐出口本体１６を凹部２８内へ固定する固定手段を有してよい。固定手段は、内壁１２内で支持部３０として規定されてよい。
支持部３０は、吐出口本体１６と、内壁１２の隣接端との間に延長して、凹部２８および支持部３０が吐出口本体１６を周方向に(circumferentially)包囲するよう配置される。支持部３０は、それ自体、内壁１２内に、例えば接着剤により締結(fastened)されてよい。これにより、吐出口本体１６は、パッケージ２の方向にかかわりなく、内壁１２内にしっかり固定されて保持される。好適な実施形態において、支持部３０および吐出口本体１６は、図１０に示すように、単一ユニット３１として形成されてよい。このため、ユーザは、カートン４内部に手を伸ばして、吐出口外端１８を見つけてこれを使用するため再度方向付ける必要がない。
【００４５】
吐出口外端１８は、取り外し可能なキャップ３２または取り外し可能なバルブ３４を有してよい。図３、図４、および図７に示す実施形態によれば、キャップ３２は、ねじ（ねじ山）(screw and thread)配置によって取り付け可能であってよく、対応する取り外し可能なタップ(tap)３４は、キャップ３２と交換されて液体８を吐出してよい。
代替的に、図５に示すように、液体８は、吐出口１０を介して、タップ３４を使用せずに、パッケージ２から直接吐出されてよい。図３および図４において、第２のキャビティ２０は、キャップ３２の高さを収容するようなサイズとされるが、第２のキャビティ２０は、タップ３４収容して、バッグに固定されるように、または例えば取外し可能なタップまたはバルブのように（図７、図１１ａから図１１ｃ、図１２ａから図１２ｃ参照）バッグから取外し可能になるよう構成されてよい。
好適な実施形態において、吐出口１０は、取り外し可能なタップ３４、３５またはバルブ３７、３９を有してよく、これにより、液体８は、取り外し可能なキャップ３２、またはバルブ３７，３９を取り外すことにより、吐出口１０を介して直接アクセスされることができ、またはタップ／バルブ３４、３５、３７、３９により直接吐出されることができる。
【００４６】
図１１ａから図１１ｃ、および図１２ａから図１２ｃに例示されるように、取り外し可能なバルブ３７は、開放されており、可撓性バッグ（不図示）の吐出用出口１０上に取り付けられるようさらに配置される端部８２を有する管状部材８０を有し、これにより、可撓性バッグの内容物を管状部材８０内部に流入させる。
管状部材８０の内部は、横行(transverse)壁８４を有し、この横行壁８４は、可撓性（柔軟性）ダイヤフラム８６および吐出開口８８を含み、この吐出開口８８は、通常、可撓性ダイヤフラム８６により閉止される。壁はまた、壁８４の外側上に側方に延長し、可撓性ダイヤフラム８６に接続されるレバー９０を含み、このレバーにより、可撓性ダイヤフラム８６を、可撓性ダイヤフラム８６が吐出開口８８を密封状態で閉止して内容物がバッグから出ることを阻止する位置と、可撓性ダイヤフラム８６が吐出開口８８から取り除かれてバッグの内容物が出ることを許容する位置との間で変位させる。レバー９０は、可撓性ダイヤフラム８６に、可撓性ダイヤフラム８６がレバー９０の操作によりこれら２つの位置の間で動作可能であるよう、接続される。
管状部材８０の開放端は、吐出用出口１０に、ネジ式接続で取り付けられるよう配置される。例えば、開放端部８２の内壁は、吐出用出口１０の外壁上の対応するネジ(thread)と係合可能であるように配置されるネジを有する。
【００４７】
図１１ａから図１１ｃを参照して、取り外し可能なバルブ３７は、吐出用出口１０に直接取り付けられる。しかしながら、図１２ａから図１２ｃにおいて、取り外し可能なバルブ３９は、２つの管状セクション３９ａ、３９ｂを有する。管状セクション３９ａは、可撓性ダイヤフラム８６、吐出開口８８、およびレバー９０を含む壁８４を備え、上記のレバー９０に結合されるネジ式管状セクション３９ｂを介して、吐出用出口１０に結合可能である。２つのセクション３９ａ、３９ｂは、スナップ式(snap-fit)接続により結合可能である。ネジ式の(threaded)管状接続片３９ｂを介して取り付け可能なバルブ３９ａを有することで、図１１ａから図１１ｂに例示される単一の(single piece)取り外し可能なバルブ３７の実施形態と比較して、セクション３９ａ、３９ｂをより容易に製造することができる。
【００４８】
他の実施形態において、パッケージ２は、少なくとも１つのハンドル３６を備えてよい。ハンドル３６は、カートン４の外壁の１つの内部に切り欠き(cut-out)として形成される手持ち用開口(hand opening)３８により規定されてよい。カートン４は、対向するカートン外壁上に一対の手持ち用開口３８を備えてよく、これにより、ユーザは、パッケージ２を両手で運搬することができる。
代替的にまたは追加的に、ハンドル３６は、ストラップ状材料、例えば、ビニール、クロス(cloth)、またはロープで形成されてよい。ハンドル端部は、対向する外壁の端部に、図４に示すように、ハンドル３６の本体がパッケージ２の端部上に延長するよう、取り付けられてよい。
【００４９】
好適な実施形態によれば、カートン４の外壁２６の１つは、第２の取り外し可能な領域４０を有する。第２の取外し可能な領域４０は、第１のキャビティ１３内に通じ(leads into)、これにより、バッグへのアクセス用開口を形成して、バッグを露出させ、以下に説明するように冷却目的でそれへのアクセスを提供する。
【００５０】
取外し可能な領域２４、４０は、取り外しプロセスを補助するミシン目（目打ち線）(perforations)４２を有してよい。取り外し可能な領域２４，４０は、外壁２２、２６のそれぞれの内に１つ、指用開口５４を有する。これにより、取り外し可能な領域２４、４０を容易に把持することができ、したがって、取外し可能な領域２４、４０は、取り外し可能な領域２４，４０を持ち上げて(lifting)、ミシン目４２に沿って引き裂くことにより、取り外すことができる。
【００５１】
特に図４に示されるように、取り外し可能な領域２４、４０は、ボール紙（ダンボール）(cardboard)の単一の外層を備え、取り外し可能な領域２４、４０真下のダンボールの内層は、取り外し可能な領域２４、４０に対応するそれぞれの切り欠き(cut-outs)２５、４１を有し、これにより、取り外し可能な領域２４、４０を、ミシン目４２に沿って容易に引き裂くことができる。切り欠き２５、４１は、それぞれの取り外し可能な領域２４、４０より僅かに小さく、これにより、カートン４の内壁がミシン目４２を支持して、取り外し可能な領域２４、４０が不注意に引き裂かれたり、輸送または取り扱いの間に内側に倒れ込むことが防止される。
【００５２】
図１および図２に例示されるように、追加的なミシン目４３が、ダンボールの外層に提供されてよく、このミシン目４３は、取り外し可能な領域２４、４０の間、およびくぼんだ(recessed)手持ち用部分および指用開口５４の間でそれぞれ延長する。これらのミシン目４３は、ユーザがダンボールの外層を破ってバックにアクセスさせ、これにより、バッグは、別個の吐出装置（不図示）内に挿入されることができ、または代替的に、バッグが取り除かれて、パッケージ２をリサイクル目的のため分離することができる。
【００５３】
パッケージ２は、図６および図７の実施形態に示されるように、液体を吐出する装置４６とともに使用されるよう構成されてよい。この装置４６は、バッグの内容物を冷却または加熱するよう配置される、冷却または加熱手段５０を有する。装置４６は、パッケージを受容する構造４８を有する。
冷却または加熱手段５０は、第２の取り外し可能な領域４０が取り外され、パッケージ２が構造４８に受容される際に、パッケージ２の第１のキャビティ１３内に突出するよう構成される隆起した(raised)冷却または加熱部分５０を有する。これにより、液体８で満たされた(filled with)バッグは、バッグの内容物に直接接触して効率的に冷却または加熱する、隆起した冷却または加熱部分５０の形状に適合することができる。
好適な実施形態において、隆起した冷却または加熱部分５０は、ドーム状の形状を有する。さらなる（追加的）隣接する外壁２６真下のカートン２の内層内の切り欠き４１は、取り外し可能な領域４０より小さい直径を有して、隆起した冷却または加熱部分５０に接触する際に、パッケージ２の重量を支持することを補助する。
【００５４】
構造４８は、吐出口１０が例えばカウンタートップ(counter-top)等の表面上方に離隔し、容器(vessel)がバルブ３４真下に便宜に位置して、吐出される液体８を捕らえることができるように、パッケージ２を保持するよう配置される。構造４８は、傾斜した頂面４９を有してよく、これにより、パッケージ２が上記頂面４９に受容された際に、パッケージ２の吐出用出口端部が反対側端部より低くなり、バッグの内容物が吐出用出口端部で安定し(settle at)、これにより、追加的な操作なしに、内容物がパッケージ２から流れ出るのを補助することができる。
【００５５】
装置４６の例示的使用において、ユーザは、第１および第２の取り外し可能な領域２４、４０の指用開口５４に指または親指を挿入して、ミシン目４２に沿って引き裂き、これにより、取り外し可能なキャップ３２により閉止されている第２のキャビティ２０内の吐出口外端１８、および第１のキャビティ１３内のバッグの双方を露出する。取り外し可能なキャップ３２は、バルブ３４によって置き換えられてよい。図５に示されるように、ユーザはその後、パッケージ２から直接液体８を吐出することができるが、まず手持ち用開口３８および外壁２６の端部上のくぼんだ手持ち用部分４４によりパッケージ２を把持し、およびパッケージ２を傾け（持ち上げ）(tipping)、これにより、液体８は、重力の作用により、吐出口外端１８から流れ出る。
【００５６】
本発明の他の実施形態によれば、液体８を吐出する装置５６が提供され、この装置５６は、パッケージ２の吐出用出口１０を介してパッケージ２に接続可能であるポンプ手段（不図示）を有する。装置５６は、ポンプ手段により引き出される(drawn)液体８を吐出する吐出用出口５８と、パッケージ２、吐出用出口５８、およびポンプ手段の少なくとも１つを収容するよう構成される筐体(enclosure)６０とを有する。
筐体６０は、ドア６２とともに配置されてよく、ドア６２は、開閉可能で、パッケージ２の取り外しおよび挿入を許容する。少なくとも１つのパッケージ２は、筐体６０の下方部分に収容され、吐出用出口５８は、装置５６の上方部分にあって、縦型(upright)構造を形成する。こうした縦型構造は、装置５６をフロア取り付け可能(floor-mountable)にする。好適な実施形態において、装置５６は、自立型(free-standing)であってよい。
【００５７】
装置５６の例示的使用において、ユーザは、指を指用開口５４に挿入し、取り外し可能な領域２４を把持し持ち上げ、ミシン目に４２に沿って引き裂くことにより、取り外し可能な領域２４を容易に取り外し、これにより、吐出口外端アクセス領域を露出させることができる。ポンプ手段は、筐体６０内部から延長してよいホース（不図示）を有してよく、このホースは、取り外し可能なキャップ３２（または一体化されたバルブ３５または取り付け可能なバルブ３４を有する取り外し可能なキャップ）が取り外された際に、吐出口１０内に挿入されて、バッグからポンプ手段により引き出された液体８を、装置５６の吐出用出口５８へ供給する。パッケージ２はその後、ドア６２を介して、筐体６０内部に設置されてよい。液体８は、吐出前に、所望により、加熱または冷却されてよい。
【００５８】
図９は、ダンボール材料により形成されるカートン４のブランク(blank)６４の一例を示す。カートン４は、折り目(fold lines)６８に沿ってブランク６４を折り曲げ、フラップ(flaps)７０に接着することで、形成される。点線は、取り外し可能な領域２４、４０を規定するミシン目４２を表す。図９に示すように、隣接する外壁２２は、一対のフランジ(flanges)７２、７４を有し、フランジ７２、７４のそれぞれは、隣接する外壁２２の対向する端部から延長する。フランジ７２の１つは、折り曲げ可能であって、他のフランジ７４のスロット７８内に固定可能であり、フランジ７２の部分が隣接する外壁２２と平行でありかつ離隔することで第２のキャビティ２０を規定するように固定可能なタブ７６を有する。当業者であれば、これは上記のカートン４のブランクの例示であり、このブランクの多数の実施形態がこうしたカートン４を生産するよう構成され得ることが理解されるであろう。
【００５９】
上記では本発明の多数の実施形態が説明されたが、上記は例示としてのみ説明されたものであって、限定的に説明されたものでないことが理解されるであろう。当業者であれば、本発明の要旨および範囲から逸脱することなく、形式および詳細における多様な変更をなしえることは明らかである。従って、本発明は、上記で説明された例示的実施形態のいずれによっても限定されるべきではない。
【００６０】
本明細書および添付クレームを通して、その内容が要求するものでない限り、用語「備える(comprise)」および例えば「備える(comprises)」および「備えている(comprising)」等の変形は、記載される数値またはステップ、または数値またはステップの群を含み、あらゆる他の数値またはステップ、または数値またはステップの群を排除するものでないことが理解されるであろう。
【００６１】
本明細書中における、あらゆる先行刊行物（またはそれに由来する情報）、または公知のあらゆる事項への参照は、当該先行刊行物（またはそれに由来する情報）または公知の事項が、本明細書が関連する技術分野における周知慣用技術の一部を構成するとの確認、自認、またはあらゆる形式での示唆と解されず、また解されるべきでない。
【図１】
2019517445.tif 000003
【図２】
2019517445.tif 000004
【図３】
2019517445.tif 000005
【図４】
2019517445.tif 000006
【図５】
2019517445.tif 000007
【図６】
2019517445.tif 000008
【図７】
2019517445.tif 000009
【図８】
2019517445.tif 000010
【図９】
2019517445.tif 000011
【図１０】
2019517445.tif 000012
【図１１ａ】
2019517445.tif 000013
【図１１ｂ】
2019517445.tif 000014
【図１１ｃ】
2019517445.tif 000015
【図１２ａ】
2019517445.tif 000016
【図１２ｂ】
2019517445.tif 000017
【図１２ｃ】
2019517445.tif 000018
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
カートンおよび可撓性バッグを備えて流動性製品を封入するパッケージであって、
前記バッグは、前記流動性製品を吐出する吐出用出口を有し、
前記カートンは、一方の側の壁に対して、前記カートン内で前記バッグを位置付けるための第１のキャビティを規定する内壁を有し、
前記内壁は、前記吐出用出口の本体がその内部に位置付けられる開口を有し、
これにより、前記吐出用出口の外端部が、前記カートンの反対側の前記内壁と、隣接する外壁との間に規定される第２のキャビティ内に位置し、
前記カートンは、前記第２のキャビティ内に通じて前記吐出用出口を露出させてそれへのアクセスを提供する取り外し可能な領域を含む、
ことを特徴とするパッケージ。
【請求項２】
前記取り外し可能な領域は、少なくとも部分的に、前記隣接する外壁内にある、
ことを特徴とする請求項１に記載のパッケージ。
【請求項３】
前記取り外し可能な領域は、完全に前記隣接する外壁内にある、
ことを特徴とする請求項１に記載のパッケージ。
【請求項４】
前記取り外し可能な領域は、部分的に前記隣接する外壁内にあり、部分的に、前記隣接する外壁に横行するさらなる外壁内にある、
ことを特徴とする請求項１または２に記載のパッケージ。
【請求項５】
前記カートンの前記外壁の１つは、前記第１のキャビティ内に通じて前記バッグを露出させてそれへのアクセスを提供する、さらなる取り外し可能な領域を有する、
ことを特徴とする請求項１から４のいずれか１項に記載のパッケージ。
【請求項６】
前記取り外し可能な領域は、取り外しを補助するミシン目を有する、
ことを特徴とする請求項１から５のいずれか１項に記載のパッケージ。
【請求項７】
前記内壁は、前記内壁の前記開口で前記吐出用出口の前記本体を保持する固定手段を有する、
ことを特徴とする請求項１から６のいずれか１項に記載のパッケージ。
【請求項８】
前記吐出用開口は吐出口である、
ことを特徴とする請求項１から７のいずれか１項に記載のパッケージ。
【請求項９】
前記吐出用出口は、取り外し可能なキャップにより閉止可能である、
ことを特徴とする請求項１から８のいずれか１項に記載のパッケージ。
【請求項１０】
前記吐出用出口は、取り外し可能なバルブにより閉止可能である、
ことを特徴とする請求項１から８のいずれか１項に記載のパッケージ。
【請求項１１】
前記バルブは、前記可撓性バッグの前記吐出用出口上に取り付けられるよう配置される開放端部を有する管状部材を有し、前記バッグの前記内容物を前記管状部材へ流入させ、
前記管状部材の内部は、可撓性のダイヤフラムおよび吐出開口を含む横行壁を有し、
前記吐出開口は、通常、前記柔軟性のダイヤフラム、および前記壁の外側上に側方に延長して前記可撓性のダイヤフラムに接続するレバーにより閉止されて、前記ダイヤフラムを、前記可撓性のダイヤフラムが前記吐出開口を密閉状態で閉止して前記内容物が前記バッグから出るのを阻止する位置と、前記可撓性のダイヤフラムが前記吐出開口から取り除かれて前記バッグの前記内容物がこれにより出ることを許容する位置との間で変位させ、
前記開放端部は、ネジ式接続により前記吐出用出口に取り付け可能に配置される、
ことを特徴とする請求項１０に記載のパッケージ。
【請求項１２】
前記開放端部は、前記吐出用出口に直接取り付けられる、
ことを特徴とする請求項１１に記載のパッケージ。
【請求項１３】
前記開放端部は、前記吐出用出口に、前記管状部材に結合されるネジ式管状接続片を解して取り付けられる、
ことを特徴とする請求項１１に記載のパッケージ。
【請求項１４】
請求項１から１３のいずれか１項に記載のパッケージから流動性製品を吐出する装置であって、
前記装置は前記パッケージを受容するよう構成されて、冷却または加熱手段を備え、
前記冷却または加熱手段は、前記パッケージ内の前記バッグの前記内容物を冷却または加熱するよう配置され、
前記装置は、前記パッケージを受容する構造を有し、
前記冷却または加熱手段は、前記構造に受容された際に、前記パッケージの前記第１のキャビティ内に突出するよう配置される隆起した冷却または加熱部分を備え、これにより、前記隆起した冷却または加熱部分は、前記パッケージ内のアクセス開口を介して、前記バッグと接触可能となる、
ことを特徴とする装置。
【請求項１５】
請求項１から１３のいずれか１項に記載のパッケージから流動性製品を吐出する装置であって、
前記装置は、前記パッケージを受容するよう構成されて、前記パッケージの前記吐出用出口を介して前記パッケージに接続可能であり、引き出される前記流動性製品を、前記装置の前記吐出用出口へ供給するポンプ手段を有し、
前記装置は、前記引き出される流動性製品を冷却または加熱する冷却または加熱手段をさらに備える、
ことを特徴とする装置。
【請求項１６】
前記装置は、前記ポンプ手段および少なくとも１つのパッケージおよびドアを収容するよう構成される筐体をさらに備え、
前記ドアは、開放可能で、前記パッケージの取り外しおよび挿入を許容する、
ことを特徴とする請求項１５に記載の装置。
【請求項１７】
前記少なくとも１つのパッケージは、前記筐体の下方部分に収容され、前記装置の前記吐出用出口は、前記装置の上方部分にある、
ことを特徴とする請求項１６に記載の装置。
【請求項１８】
可撓性バッグに封入される流動性製品を吐出するバルブであって、
前記可撓性バッグの吐出用出口上に取り付けられるよう配置される管状部材を有し、前記バッグの内容物を前記管部材内へ流入させ、
前記管状部材の内部は、可撓性のダイヤフラムおよび吐出開口を有する横行壁を有し、
前記吐出開口は、通常、前記可撓性のダイヤフラムと、および前記壁の外側上に側方に延長し、前記可撓性のダイヤフラムに接続されるレバーとにより閉止されて、前記ダイヤフラムを、前記可撓性のダイヤフラムが前記吐出開口を密閉状態で閉止して前記内容物が前記バッグから出るのを阻止する位置と、前記可撓性のダイヤフラムが前記吐出開口から取り除かれて前記バッグの内容物がこれにより出ることを許容する位置との間で変位させ、
前記開放端部はネジ式接続により前記吐出用出口に取り付け可能に配置される、
ことを特徴とするバルブ。
【請求項１９】
前記開放端部は、前記吐出用出口に直接取り付けられる、
ことを特徴とする請求項１８に記載のバルブ。
【請求項２０】
前記開放端部は、前記吐出用出口に、前記管状部材に結合されるネジ式管状接続片を介して取り付けられる、
ことを特徴とする請求項１８に記載のバルブ。
【国際調査報告】
2019517445.tif 000019
2019517445.tif 000020
2019517445.tif 000021
2019517445.tif 000022
2019517445.tif 000023
2019517445.tif 000024
2019517445.tif 000025